(57)【特許請求の範囲】
【請求項１】
伝送装置側光線路（５）の装置側光ファイバ（６、７）を外線光ケーブル（１３）側のケーブル側光ファイバ（９）と分岐接続する光配線盤であって、
前記ケーブル側光ファイバを切替接続可能に成端する成端部光コネクタ（１０）が複数収納されてなる成端部（４ａ）と、この成端部の前記成端部光コネクタから前記装置側光ファイバの間を切替可能に接続する切替用光コード（２１）とを備え、
前記切替用光コードは、接続用光コネクタ（２１ｂ）によって成端された端部が、前記装置側光ファイバに切替可能に接続される接続用コード部（２１ｃ）と、
切替用光コネクタ（２１ｇ）によって成端された端部が、前記ケーブル側光ファイバに切替可能に接続される複数本の切替用コード部（２１ｄ）と、
前記接続用コード部に対して複数本の前記切替用コード部を分岐接続するスプリッタ（２１ｉ）を収納したスプリッタ収納部（２１ｆ）とを備え、
前記ケーブル側光ファイバに対する前記切替用コード部の接続を切り替えることで、前記接続用コード部を接続した目的の装置側光ファイバに対する前記ケーブル側光ファイバの接続が切り替えられるように構成され、
しかも、前記成端部の成端部光コネクタから前記装置側光ファイバの間では、両端がジャンパコード用光コネクタ（１５ａ、１５ｂ）により成端され、かつ、途中にスプリッタによる分岐が介在されていないジャンパコード（１５）と前記切替用光コードとが置換可能になっていることを特徴とする光配線盤（２０）。
【請求項２】
前記切替用光コードを収納するジャンパコード収納部（２０ｂ）内に、前記スプリッタ収納部を固定するためのスプリッタ固定部（２０ｃ）を備えることを特徴とする請求項１記載の光配線盤。
【請求項３】
第１の光ファイバ（６、７）を第２の光ファイバ（９）と分岐接続する光配線盤であって、
前記第２の光ファイバを切替接続可能に成端する成端部光コネクタ（１０）が複数収納されてなる成端部（４ａ）と、この成端部の前記成端部光コネクタから前記第１の光ファイバの間を切替可能に接続する切替用光コード（２１）とを備え、
前記切替用光コードは、接続用光コネクタ（２１ｂ）によって成端された端部が、前記第１の光ファイバに切替可能に接続される接続用コード部（２１ｃ）と、
切替用光コネクタ（２１ｇ）によって成端された端部が、前記第２の光ファイバに切替可能に接続される複数本の切替用コード部（２１ｄ）と、
前記接続用コード部に対して複数本の前記切替用コード部を分岐接続するスプリッタ（２１ｉ）を収納したスプリッタ収納部（２１ｆ）とを備え、
前記第２の光ファイバに対する前記切替用コード部の接続を切り替えることで、前記接続用コード部を接続した目的の第１の光ファイバに対する前記第２の光ファイバの接続が切り替えられるように構成され、
しかも、前記成端部の光コネクタから前記第１の光ファイバの間では、両端がジャンパコード用光コネクタ（１５ａ、１５ｂ）により成端され、かつ、途中にスプリッタによる分岐が介在されていないジャンパコード（１５）と前記切替用光コードとが置換可能になっていることを特徴とする光配線盤（２０）。
【発明の詳細な説明】
【０００１】
【発明の属する技術分野】
本発明は、光配線盤に関するものである。
【０００２】
【従来の技術】
図６は、光ファイバネットワークにおける局内光配線の一般的な構成を示す。図６において、伝送装置１近傍に配置された光配線盤２、３、４には、伝送装置１に接続された光ケーブル５（伝送装置側光線路）端末から引き出された多数本の光ファイバ６、７（主に光コード）が引き込まれる。この光ケーブル５としては、端末から引き出された多数本の光ファイバ６、７先端にそれぞれ光コネクタ６ａ、７ａが取り付けられてなる、いわゆるコネクタ付きケーブルが採用されることが一般的である。
前記光ファイバ６、７の内、光ファイバ６は、光配線盤２、３を経由して光配線盤４に引き込まれ、該光配線盤４内にて、別の光ケーブル８（コネクタ付きケーブル）の一端から多数本引き出された光ファイバ９（主に、光ファイバ心線または光コード）に対して、光コネクタ６ａ、１０によって切替可能に接続される。具体的には、光配線盤４内に多段に設けられた成端部４ａには、前記光ファイバ９先端の光コネクタ１０および余長を収納する扁平の収納カード４ｂが縦置き横並びに多数配列収納されており、前記光ファイバ６は、前記収納カード４ａから取り出した光ファイバ９先端に対して、光コネクタ６ａ、１０により接続される。
前記光ケーブル８他端に引き出された光ファイバ９は、融着架１１にて、外線光ケーブル１３端末に引き出された目的の光ファイバ１４と融着部１２を介して接続されているため、光配線盤４内にて、光ファイバ６、９同士を切替接続することにより、装置側およびケーブル側の目的の光ファイバ６、１４同士が、光ケーブル８の光ファイバ９を介して切替可能に接続される。
【０００３】
一方、光ファイバ７は、光配線盤３、４間に連通させた切替用光コードであるジャンパコード１５を介して、光ケーブル８側の光ファイバ９と切替可能に接続される。前記ジャンパコード１５は、両端が、光コネクタ１５ａ、１５ｂ（ジャンパコード用光コネクタ）によってコネクタ接続可能に成端されたものであり、このジャンパコード１５の一端を光コネクタ１５ａ、７ａにより光ファイバ７と接続し、ジャンパコード１５の他端を光コネクタ１５ｂ、１０により光ファイバ９に対して切替接続することで、光ファイバ７、９間が切替可能に接続されると同時に、光ファイバ７が、光ファイバ９を介して、外線光ケーブル１３の目的の光ファイバ１４と切替接続される。
【０００４】
なお、光配線盤４内に配置される光コネクタ６ａ、１０、１５ｂとしては、切替接続性に優れた、ＪＩＳ  Ｃ  ５９８１等に制定される、いわゆるＭＴ形光コネクタ（Ｍｅｃａｎｉｃａｌｌｙ  Ｔｒａｎｓｆｅｒａｂｌｅ）、光配線盤３内に配置される光コネクタ７ａ、１５ａとしては、ＪＩＳ  Ｃ  ５９７３等に制定される、いわゆるＳＣ形光コネクタ（Ｓｉｎｇｌｅ  ｆｉｂｅｒ  Ｃｏｕｐｌｉｎｇ  ｏｐｔｉｃａｌ  ｆｉｂｅｒ  ｃｏｎｎｅｃｔｏｒ）を採用することが一般的である。光ファイバ６は、例えば、２心光ファイバテープ心線をチューブ被覆してなる２心光コードの先端を、２心ＭＴ形光コネクタである光コネクタ６ａで成端したものである。光ファイバ７は、単心光コードの先端をＳＣ形光コネクタで成端したものである。ジャンパコード１５は、例えば、一端が、それぞれＳＣ形光コネクタである単心の光コネクタ１５ａによって成端された２心の光コード、他端が、２心のＭＴ形光コネクタである光コネクタ１５ｂに成端されてなる構成になっている。
【０００５】
【発明が解決しようとする課題】
ところで、外線光ケーブル１３側の複数の回線（光ファイバ１４）で、伝送装置１側の同一回線（光ファイバ７）を共用できるようにするには（いわゆるＰＤＳ方式への変更。ＰＤＳ：Ｐａｓｓｉｖｅ  Ｄｏｕｂｌｅ  Ｓｔａｒ）、光線路の途中にスプリッタを介在させ、伝送装置１側の光ファイバ７を、外線光ケーブル１３側の複数の光線路に対して分岐接続することになる。
光線路の途中にスプリッタを介在させるには、例えば、（１）成端部４ａの収納カード４ｂをスプリッタ内蔵のものに置き換える、（２）光配線盤３内のコネクタ接続ユニット３ａを、スプリッタ等の光部品を収納した専用のユニットに置き換える、ことが考えられる。
しかしながら、（１）の対策では、光ファイバ９とスプリッタとの間の接続に、コネクタ接続を新設する必要があり、部品点数の増加によるコストの上昇や、接続点の増大による接続損失の増大を余儀なくされるといった不満がある。また、（２）の対策でも、光ファイバ７または１５に対するスプリッタの接続に鑑みて、部品点数の増加によるコストの上昇や、接続点の増大による接続損失の増大を余儀なくされる。
【０００６】
本発明は、前述の課題に鑑みてなされたもので、部品点数や接続点を増加させずに、光線路にスプリッタを低コストで、簡便に、介在させることができる光配線盤および切替用光コードを提供することを目的とする。
【０００７】
【課題を解決するための手段】
請求項１記載の発明では、伝送装置側光線路の装置側光ファイバを外線光ケーブル側のケーブル側光ファイバと分岐接続する光配線盤であって、前記ケーブル側光ファイバを切替接続可能に成端する成端部光コネクタが複数収納されてなる成端部と、この成端部の前記成端部光コネクタから前記装置側光ファイバの間を切替可能に接続する切替用光コードとを備え、前記切替用光コードは、接続用光コネクタによって成端された端部が、前記装置側光ファイバに切替可能に接続される接続用コード部と、切替用光コネクタによって成端された端部が、前記ケーブル側光ファイバに切替可能に接続される複数本の切替用コード部と、前記接続用コード部に対して複数本の前記切替用コード部を分岐接続するスプリッタを収納したスプリッタ収納部とを備え、前記ケーブル側光ファイバに対する前記切替用コード部の接続を切り替えることで、前記接続用コード部を接続した目的の装置側光ファイバに対する前記ケーブル側光ファイバの接続が切り替えられるように構成され、しかも、前記成端部の成端部光コネクタから前記装置側光ファイバの間では、両端がジャンパコード用光コネクタにより成端され、かつ、途中にスプリッタによる分岐が介在されていないジャンパコードと前記切替用光コードとが置換可能になっていることを特徴とする光配線盤を前記課題の解決手段とした。
請求項２記載の発明は、前記切替用光コードを収納するジャンパコード収納部内に、前記スプリッタ収納部を固定するためのスプリッタ固定部を備えることを特徴とする。
請求項３記載の発明では、第１の光ファイバを第２の光ファイバと分岐接続する光配線盤であって、前記第２の光ファイバを切替接続可能に成端する成端部光コネクタが複数収納されてなる成端部と、この成端部の前記成端部光コネクタから前記第１の光ファイバの間を切替可能に接続する切替用光コードとを備え、前記切替用光コードは、接続用光コネクタによって成端された端部が、前記第１の光ファイバに切替可能に接続される接続用コード部と、切替用光コネクタによって成端された端部が、前記第２の光ファイバに切替可能に接続される複数本の切替用コード部と、前記接続用コード部に対して複数本の前記切替用コード部を分岐接続するスプリッタを収納したスプリッタ収納部とを備え、前記第２の光ファイバに対する前記切替用コード部の接続を切り替えることで、前記接続用コード部を接続した目的の第１の光ファイバに対する前記第２の光ファイバの接続が切り替えられるように構成され、しかも、前記成端部の光コネクタから前記第１の光ファイバの間では、両端がジャンパコード用光コネクタにより成端され、かつ、途中にスプリッタによる分岐が介在されていないジャンパコードと前記切替用光コードとが置換可能になっていることを特徴とする光配線盤を前記課題の解決手段とした。
【０００８】
【発明の実施の形態】
以下本発明の１実施形態の光配線盤およびこれに用いられる切替用光コードを、図１から図５を参照して説明する。図１は、本実施形態の光配線盤２０を用いて構成された局内光配線を示す全体図、図２は、光配線盤２０近傍の光伝送系の光配線図、図３は、光配線盤２０に用いられる切替用光コード２１を示す平面図、図４は、光配線盤２０を示す図であって、（ａ）は正面図、（ｂ）は（ａ）のＡ−Ａ線断面矢視図、図５は光配線盤２０の背面図である。図１中、図６と異なる点は、光配線盤４に代えて、光配線盤２０を設置し、光配線盤３、２０間に、ジャンパコード１５に代えて切替用光コード２１を連通させたことであり、他の構成部分は、図６と同様である。したがって、図１中、図６と同一の構成部分には、同一の符号を付し、その説明を簡略化する。
【０００９】
伝送装置１近傍に配置された光配線盤２、３、２０には、伝送装置１に接続された伝送装置側光線路としての光ケーブル５（コネクタ付きケーブル）端末から引き出された光ファイバ６、７が引き込まれる。前記光ケーブル５端末から装置側光ファイバとして引き出された多数本の光ファイバ６、７（光コード）の内、光ファイバ６は、光配線盤２、３を経由して光配線盤２０に引き込まれ、ケーブル側の光線路である光ケーブル８（コネクタ付きケーブル）の一端から多数本引き出された光ファイバ９（主に、光ファイバ心線または光コード）に対して、光コネクタ６ａ、１０によって切替可能に接続され、これにより、目的の光ファイバ６、１４同士が、光ケーブル８の光ファイバ９を介して切替可能に接続される。光ファイバ６、９、１４によって構成される光線路は、図６に示したものと同様である。また、光ケーブル８の光ファイバ９は、請求項１記載のケーブル側光ファイバとして機能する。
一方、光ファイバ７は、光配線盤３、４間に連通させた切替用光コードであるジャンパコード２１を介して、光ケーブル８側の光ファイバ９と切替可能に接続される。
【００１０】
図３において、前記ジャンパコード２１は、分岐器２１ａによって２本に分岐された先端がそれぞれ光コネクタ２１ｂ（ＳＣ形光コネクタ）（接続用光コネクタ）によってコネクタ接続可能に成端された２心の接続用コード部２１ｃと、図示しない分岐部によって先端が８本の２心の切替用コード部２１ｄに分岐された８本の２心の切替用コード部２１ｄと、接続用コード部２１ｃに対してそれぞれ４本の前記切替用コード部２１ｄを分岐接続する１：８スプリッタ２１ｉ（図２参照）を２個収納するスプリッタ収納部２１ｆとを備えた構成になっている。スプリッタ収納部２１ｆは、細長直方体状の小型のユニットに組み立てられ、内部のスプリッタ等の光部品が保護されるようになっている。そして、このスプリッタ収納部２１ｆの長手方向一端（図３中右側）からは前記接続用コード部２１ｃが引き出され、長手方向他端からは２心の切替用コード部２１ｄが８本引き出されている。各切替用コード部２１ｄ先端は、それぞれ、２心の光コネクタ２１ｇ（ＭＴ形光コネクタ）（切替用光コネクタ）によってコネクタ接続可能に成端されている。なお、接続用コード部、切替用コード部、光コネクタ２１ｇ、スプリッタ２１ｉ等の対応心数、切替用コード部の本数は、前述のものに限定されず、適宜変更可能であることは言うまでもない。
【００１１】
図１において、ジャンパコード２１の接続用コード部２１ｃは、光配線盤３内にて、光コネクタ２１ｂ、７ａを介して、装置側の光ファイバ７と切替可能に接続される。一方、切替用コード部２１ｄは、光配線盤２０の成端部４ａ内にて、光コネクタ２１ｇ、１０を介して、ケーブル側の光ファイバ９と切替可能に接続される。したがって、切替用コード部２１ｄを光ファイバ９に対して切替接続すると、ジャンパコード２１を介して光ファイバ７、９間が切替接続され、同時に、光ファイバ７が、光ファイバ９を介して、外線光ケーブル１３の目的の光ファイバ１４と切替接続される。
【００１２】
次に、図４（ａ）、（ｂ）および図５を参照して、光配線盤２０を説明する。図４（ａ）に示すように、光配線盤２０のフレーム２０ａ内には、上下に多段に配置された成端部４ａと、これら成端部４ａの側部に設けられ、ジャンパコード２１が収納されるジャンパコード収納部２０ｂとを備えている。ジャンパコード収納部２０ｂには、スプリッタ収納部２１ｆを着脱自在に固定するスプリッタ固定部２０ｃと、このスプリッタ固定部２０ｃよりも下方のフレーム２０ａの複数箇所から突設され、ジャンパコード２１に確保した余長２１ｈ等を引っ掛けるようにして湾曲処理するコードサポート２０ｄとが突設されている。ジャンパコード２１の余長２１ｈは、切替用コード部２１ｄによって確保される。
【００１３】
ジャンパコード２１の切替用コード部２１ｄは、目的の成端部４ａに引き込まれ、該成端部４ａ内にて、目的の収納カード４ｂ内に引き込まれ、光コネクタ２１ｇ、１０の接続によって光接続される（図２参照）。図４（ｂ）および図５に示すように、光ケーブル８端末は、光配線盤２０の背面側に設けられたケーブル引込部２０ｅに引き込まれ、このケーブル引込部２０ｅ内で引き出された光ファイバ９先端の光コネクタ１０（成端部光コネクタ）および余長が、目的の成端部４ａの収納カード４ｂに予め収納される。光ファイバ９と切替用コード部２１ｄとの接続時には、成端部４ａから取り出した目的の収納ケース４ｂから、光コネクタ１０を光ファイバ９の余長とともに一旦取り出して接続作業を行う。
【００１４】
図２に示すように、接続された光コネクタ２１ｇ、１０は、収納カード４ｂ内に取り出し可能に収納されるか、あるいは、成端部４ａに設けられた専用の支持部に取り出し可能に支持されるため、切替接続時には、簡便に取り出して作業を行うことができる。光コネクタ２１ｇ、１０は、切替作業性に優れたＭＴ形光コネクタであるため、切替接続は、専用の切替装置等により迅速に行うことができる。また、図４（ｂ）に示すように、各成端部４ａは、光配線盤２０の背面フレーム２０ｆに取り付けられた回転支持部２０ｇによって、水平支持位置とその下方の傾斜支持位置との間で揺動自在になっているため、目的の成端部４ａを下方の傾斜支持位置へ回転すると、この成端部４ａに収納されている収納カード４ｂの露出量を増大させることができ、成端部４ａからの収納カード４ｂの取り出し、収納等の作業性を向上でき、その結果、光コネクタ２１ｇ、１０間の接続や切替接続等の作業性も向上できる。
【００１５】
図４（ａ）、（ｂ）に示すように、ジャンパコード２１の接続用コード部２１ｃは、光配線盤２０上部に開口されたジャンパ渡り口２０ｈから光配線盤３へ引き込まれている。図１に示すように、この光配線盤３では、多段のコネクタ接続ユニット３ａに多数、配列状態に支持された光コネクタ７ａに対して、ジャンパコード２１側の光コネクタ２１ｂを接続することで、ジャンパコード２１が目的の光ファイバ７に切替可能に接続される。光コネクタ２１ｂ、７ａは、ＳＣ形光コネクタであるので、具体的には、図２に示すように、光アダプタ２２を介して切替可能に接続される。コネクタ接続ユニット３ａには、前記光アダプタ２２が配列支持され、選択した目的の光アダプタ２２に光コネクタ２１ｂを接続することで、光アダプタ２２に予め接続されていた光コネクタ７ａと光コネクタ２１ｂとが簡便に接続されるので、切替接続も容易である。
【００１６】
図１および図２に示すように、前記光配線盤２０が光線路の途中に介在されていると、伝送装置１側の光ファイバ７の回線に対して、外線光ケーブル１３側の複数回線（光ファイバ１４）が、光ケーブル８の光ファイバ９やジャンパコード２１を介して接続され、これら外線光ケーブル１３側の複数回線が、一本の装置側光ファイバ７を共用することできる。しかも、光ファイバ７、９間の分岐接続を、途中にスプリッタ収納部２１ｆが介在配置されたジャンパコード２１によって行う構成は、収納カード４ｂ内にスプリッタを収納する構成や、別途、スプリッタ接続用の専用のユニットを使用する構成（いずれも、【発明が解決しようとする課題】参照）に比べて、部品点数の増加が少なく、特別な設置スペースが不要であり、光配線盤内の光部品の入れ替え、組み替え等も極めて少なくて済む。設置スペースが少なくて済むことは、光配線盤２０内への収納カード４ｂの収納数等の増大を可能にし、光配線盤２０の対応心数を増大できる。また、ジャンパコード２１は、専用のユニット等に比べて、低コストで製造できるので、光配線盤２０全体を低コスト化することができる。
なお、図１では、装置側光ファイバ６とケーブル側光ファイバ９とを、１対１で接続する接続形態を残しているが、装置側の全ての光ファイバを、ジャンパコード２１を介してケーブル側の光ファイバ９と接続する構成も採用可能であることは言うまでも無い。
【００１７】
ところで、ジャンパコード２１を使用すれば、図６に示した従来構成の光配線盤４のジャンパコード１５を取り外して、ジャンパコード２１に置き換えるだけで、光配線盤４に係る光線路の一部または全部を、光配線盤２０と同様のＰＤＳ方式に簡便に変更することができる。したがって、収納カード４ｂ内にスプリッタを収納する構成や、別途、スプリッタ接続用の専用のユニットを使用する構成と比較すると、変更のための作業が極めて簡便であり、容易かつ迅速に変更することができる。
しかも、ジャンパコード２１に代えて、元の、ジャンパコード１５を使用すると、簡便に、元の普通回線に戻すことができる。この時、ジャンパコード２１は、再度、使用が可能であるため、無駄にはならず、コスト面で有利である。
【００１８】
切替用光コード２１の用途は、装置側光ファイバ７とケーブル側光ファイバ９との間のジャンパ接続に限定されず、光ファイバ同士のコネクタ接続部であれば何処でも適用可能である。すなわち、ジャンパコード２１は、その両端に光コネクタ２１ｂ、２１ｇが取り付けられているので、コネクタ接続された光ファイバ間に簡単に割り込ますことができ、これにより、目的の光ファイバ間に、スプリッタを簡単に介在させ、このスプリッタを介して、一方の光ファイバに対して、複数本の光ファイバを接続することができる。したがって、切替用光コード２１の設置位置は、光配線盤２０内に限定されず、光ファイバ同士のコネクタ接続部の存在する適宜箇所、例えば光配線盤３内等も採用可能である。また、設置位置は、局内光配線にも限定されず、局内光配線以外に、例えば、局から離間された光線路終端装置等への設置も可能である。
【００１９】
なお、本発明は、前記実施形態に限定されず、例えば、光ファイバ７、９、１４やジャンパコード２１の対応心数、端末に取り付けられる光コネクタの種類等は、適宜変更可能であることは言うまでもない。
また、スプリッタ固定部２０ｃは、必要に応じて設置されるものであり、例えば、光配線盤２０の外部に設置したスプリッタ収納ボックス等にスプリッタを収納することも可能である。
請求項１の光配線盤としては、各種構成が採用可能である。例えば、図１の光ファイバ７と切替用光コード２１とを接続する機能を、光配線盤２０に組み込んだ構成等も採用可能である。この場合、光配線盤３を省略することが可能になる。また、例えば、装置側光ファイバ６とケーブル側光ファイバ９との間に、切替用光コード２１を割り込ませることも容易に行うことができる。
【００２０】
【発明の効果】
以上説明したように、請求項１記載の光配線盤によれば、途中にスプリッタが介在されてなる切替用光コードによって、伝送装置側光ファイバを複数本のケーブル側光ファイバと切替可能に分岐接続するようにしたことにより、以下のような優れた効果を奏する。
（ａ）切替用光コードは、専用のユニット等と比べて低コストで製造でき、しかも、小型化が容易であり、特別な設置スペースの確保が不要であるから、低コスト化、省スペース化、光配線盤の対応心数の増大が可能になる。
（ｂ）接続点数を増大することなく、光線路にスプリッタを組み込むことができ、接続損失の増大を防止できる。
（ｃ）切替用光コードに、既存のジャンパコードとの接続互換性を持たせることにより、ＰＤＳ回線と普通回線との間の変更を簡便に行うことができる。
（ｄ）（ｃ）の回線の変更に伴い、取り外した切替用光コードは、再利用可能であり、経済性に優れる。
【００２１】
請求項２記載の光配線盤によれば、前記切替用光コードを収納するジャンパコード収納部内に、前記スプリッタを固定するためのスプリッタ固定部を備えるので、別途、スプリッタ用の収納ボックス等の設置が不要であり、既存のジャンパコード収納部内に切替用光コードを効率良く収納することができ、一層の低コスト化、省スペース化が可能であるといった優れた効果を奏する。
【００２２】
上記切替用光コードは、先端が光コネクタによってコネクタ接続可能に成端された接続用コード部と、先端が光コネクタによってコネクタ接続可能に成端された複数本の切替用コード部と、前記接続用コード部に対して複数本の前記切替用コード部を分岐接続するスプリッタとを備えてなるので、光線路の途中に介在配置するだけで、光線路の途中にスプリッタを簡便に組み込むことができる。また、専用のユニット等と比べて低コストで製造でき、しかも、小型化が容易であり、特別な設置スペースの確保が不要であるから、低コスト化、省スペース化が可能であるといった優れた効果を奏する。
【図面の簡単な説明】
【図１】本発明の１実施形態を示す図であって、切替用光コードが引き込まれた光配線盤が設置されてなる局内光配線を示す全体図である。
【図２】図１の光配線図である。
【図３】図１に示す光配線盤に用いられる切替用光コードを示す平面図である。
【図４】本発明の１実施形態の光配線盤を示す図であって、（ａ）は正面図、（ｂ）は（ａ）のＡ−Ａ線断面矢視図である。
【図５】図４の光配線盤の背面図である。
【図６】従来例の光配線盤を用いて構成された局内光配線を示す全体図である。
【符号の説明】
４ａ…成端部、５…伝送装置側光線路（光ケーブル、コネクタ付きケーブル）、６、７…装置側光ファイバ（光コード）、９…ケーブル側光ファイバ、１０…光コネクタ（ＭＴ形光コネクタ）、１３…外線光ケーブル、１５…ジャンパコード、１５ａ…光コネクタ、１５ｂ…光コネクタ、２０…光配線盤、２０ｂ…ジャンパコード収納部、２０ｃ…スプリッタ固定部、２１…切替用光コード（ジャンパコード）、２１ｂ…光コネクタ（ＳＣ形光コネクタ）、２１ｃ…接続用コード部、２１ｄ…切替用コード部、２１ｆ…スプリッタ収納部、２１ｇ…光コネクタ（ＭＴ形光コネクタ）、２１ｉ…スプリッタ。
【図１】
0003545205.tif 000002
【図２】
0003545205.tif 000003
【図３】
0003545205.tif 000004
【図４】
0003545205.tif 000005
【図５】
0003545205.tif 000006
【図６】
0003545205.tif 000007